(57)【要約】【課題】  ノック部材をノックすることにより軸先から筆記先端部を出没可能とする複式筆記具に於いて、簡単な操作で携帯時などに不用意にノックされるのを防止可能とし、且つロック装置は見栄えが良く、筆記や携帯に際して邪魔とならない。【構成】  後軸の略後端に、後軸に軸支して適宜角度範囲で回動するレバーが設けられ、その軸支部に対する前端に係止部が、また軸支部に対する後端が後軸の後端に突出して摘み部となされ、一方、各ノック部材の後端部内側に係止段部が形成されて、ノック部材が後軸の後端側に後退した状態で前記レバーの摘み部を回動する一方側に寄せた時に、レバーの係止部がノック部材の係止段部に係合してノック部材の前進が阻止され、また、レバーの摘み部を反対側に回動した時に、レバーの係止部がノック部材の係止段部から係合離脱してノック部材の前進が自在となるロック装置が設けられてなる。【選択図】        図１
2005313337.tif 000002
【特許請求の範囲】
【請求項１】
筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具において、
後軸の略後端に、後軸に軸支して適宜角度範囲で回動するレバーが設けられ、その軸支部に対する前端に係止部が、また軸支部に対する後端が後軸の後端に突出して摘み部となされ、一方、前記各ノック部材の後端部内側に係止段部が形成されて、ノック部材が後軸の後端側に後退した状態で前記レバーの摘み部を回動する一方側に寄せた時に、前記レバーの係止部がノック部材の係止段部に係合してノック部材の前進が阻止され、また、レバーの摘み部を反対側に回動した時に、レバーの係止部がノック部材の係止段部から係合離脱してノック部材の前進が自在となるロック装置が設けられてなることを特徴とする複式筆記具。
【発明の詳細な説明】
【技術分野】
【０００１】
本発明は、ノック部材を軸先方に摺動させることにより選択的に筆記部を先軸の先端孔から突出係止させるようにした複式筆記具の改良に関する。
【背景技術】
【０００２】
【特許文献１】特開２００１−２２５５８８
【特許文献２】実開平７−１１３８２（特許文献１）  軸本体内に複数の筆記体を有し、筆記体は弾発部材により軸本体後方に付勢されるが、筆記体の後端に取り付けられているノック部材を前進させて、ノック部材を軸本体に係合させることにより、筆記体を軸本体から突出させるようにした複式筆記具が一般的に知られている。（特許文献２）  後端に設けられた押圧部材をノックすることにより軸先から筆記先端部を出没可能とするノック式筆記具が示されている。このノック式筆記具は、携帯時などに誤ってノックしてしまい、ペン先が突出してポケットや衣服などを汚してしまうという問題を回避する目的で押圧部材がノックされないように押圧部材を外力から保護する遮蔽部材が取付けられている。
【発明の開示】
【発明が解決しようとする課題】
【０００３】
本発明は、上記複式筆記具に於いて、携帯時などに不用意にノックされるのを防止することを目的とし、複数箇所に設けられたノック部が簡単な操作でロック可能となるロック装置を設け、且つロック装置は見栄えが良く、筆記や携帯に際して邪魔とならないことを課題とする。
【課題を解決するための手段】
【０００４】
本発明は、上記課題を達成するために以下の構成を有する。
請求項１に記載の発明に係る複式筆記具は、筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具において、後軸の略後端に、後軸に軸支して適宜角度範囲で回動するレバーが設けられ、その軸支部に対する前端に係止部が、また軸支部に対する後端が後軸の後端に突出して摘み部となされ、一方、前記各ノック部材の後端部内側に係止段部が形成されて、ノック部材が後軸の後端側に後退した状態で前記レバーの摘み部を回動する一方側に寄せた時に、前記レバーの係止部がノック部材の係止段部に係合してノック部材の前進が阻止され、また、レバーの摘み部を反対側に回動した時に、レバーの係止部がノック部材の係止段部から係合離脱してノック部材の前進が自在となるロック装置が設けられてなる。
【発明の効果】
【０００５】
本発明の複式筆記具は、複数箇所に設けられたノック部が簡単な操作でロック可能となり、携帯時などに不用意にノックされるのが防止できる。また、筆記先端部を突出した状態でロックすれば、筆記体突出の係止部が不用意に外れて筆記先端部が没入する不具合をを防止できる。また更に、ロック装置は見栄えが良く、筆記や携帯に際して邪魔とならない。
【発明を実施するための最良の形態】
【０００６】
以下、本発明の実施形態について、図面を参照しながら説明する。
図１乃至図１５は本発明の実施形態を示している。先ず、図１は筆記体として３色のボールペンが摺動自在に配置されている複式筆記具を示している。（尚、図面に於いては透視の都合から２本の筆記体しか示されていない。）また、筆記体はボールペンばかりではなくシャープペンシルなどであっても良い。１は軸本体であり、その軸本体１は、前軸２と後軸３と中駒６とより構成されている。また、前軸２は、先軸５と中軸４が螺合等の手段により離脱可能に固定されてなる。（尚、先軸と中軸は設計都合で一体に形成することも可能である。）
【０００７】
後軸３には、長手方向に３箇所の縦溝３ａが形成され、縦溝３ａの前端位置で外周部に段部３ｄが設けられ、段部３ｄ前方の軸部３ｇに縦溝３ａと連通してやや幅広のスリット部３ｉがそれぞれ形成されている。
前記軸部３ｇは、スリット部３ｉによって分断された脚部状を呈しており、その軸部３ｇの端部には係合突起３ｈが形成され、軸部の外周部長手方向には溝部３ｊが形成されている。また、実施例は筆記体１１で示されるボールペンの数が３本であるが、この筆記体１１の本数によって縦溝３ａ及びスリット部３ｉの数も変わるものである。スリット部３ｉは、後軸３の前端まで形成されている。また、縦溝３ａの両側にはリブ３ｂが形成されている。リブ３ｂは縦溝３ａの両側に全長に渡ってではなく略中間部まで形成されており、リブ３ｂの前端は後述するノック部材の後端係止部９ｂを係合する段部３ｃとなっている。また、後軸３後端の一側には後端に開口部を有した凹部３ｆが設けられ、この凹部３ｆの所定位置に対応して後軸３の正面と反対側の２箇所に設けられた縦溝３ａの後端片隅に同軸状にそれぞれピン穴３ｅが形成されている。
【０００８】
図１、図１３及び図１４に示すようにレバー７の略中央に軸支部７ａ（穴）が形成され、その軸支部７ａの前端には鉤状の係止部７ｂが形成され、反対側の後端には摘み部８が取付けられている。レバー７は前記後軸３の凹部３ｆに摘み部８が突出した状態に挿入され、軸支部７ａ（穴）を貫通して前記後軸のピン穴３ｅにピンが挿着されて、後軸３に対して一定範囲で回動可能となされる。尚、レバー７が自由に回動しないようにレバー７と後軸３との間に適宜な摺動抵抗を有することや、回動範囲の両端で適宜係合するように設けられることが望ましい。
【０００９】
また、図８に示されるように中軸４の後端４ｃに突片４ａが設けられている。また、突片４ａは後軸の縦溝３ａに対応する位置と数を有しており、突片４ａの両側面４ｂ間の幅は後軸の縦溝３ａの幅と略同一あるいは僅かに大きく設定され、後述するが、突片が縦溝に係合することで中軸と後軸との接合部のガタツキ防止や変形しやすい分断した脚部状の軸部を規正して後軸と中軸との組立を容易化する。更に、より効果的となすために、突片４ａの側面４ｂに線状の僅かな突状部や部分的な僅かな突状部を設けて、突片が縦溝に食いつき状に係合させることも可能である。
【００１０】
また、中軸４の内孔中間部には、後軸３を組み付けた際に上記係合突起３ｈが係止する段部４ｅとその段部４ｅの前方に係合突起４ｆが形成されている。
また、係合段部４ｅの後方には、長手方向に複数箇所の突部４ｄが形成されており、この突部４ｄに後軸３の軸部３ｇに形成された溝部３ｊが迎合し、組立時に軸部３ｇが案内されると共に中軸に対し後軸が回転止めされる。尚、上記の突部４ｄと溝部３ｊの迎合は、脚部状の軸部３ｇの縮径方向などの変形を配慮して、上記実施形態に限らず蟻溝などのように相互間が係合する形状などが設定される。（図示せず）
【００１１】
また、中駒６は、各筆記体１１の挿通孔を有すると共に後方に胴部６ａが形成されており、中駒６を中軸４に組み付けた際に係合突起４ｆが中駒６の外周に形成された係合溝６ｃに相互の弾性変形によって係合し、中駒６が中軸４に固定される。
【００１２】
次に、組立順序で説明する。
先ず、ノック部材９前端の接続部にボールペン等の筆記体１１が連結される。次いで、ノック部材９の操作部９ａを後軸３の縦溝３ａに合わせて、押し込み嵌挿する。各ノック部材９がそれぞれ後軸３に嵌挿された状態で、各筆記体１１に弾発部材１０を嵌装する。  以上の構成で後軸３がユニット化される。
尚、ノック部材９単体の状態で後軸３に嵌挿することも、更に、後軸３を中軸４に係合させた後、筆記体１１を連結したノック部材９を嵌挿することも可能である。
【００１３】
次に、ユニット化された後軸３を中軸４に嵌挿するが、この時、スリット部３ｉに突片４ａを嵌装及び後軸３の軸部３ｇに形成された溝部３ｊを中軸４の突部４ｄに合わせ、押し込み嵌挿させて、中軸４に対する後軸３の位置決めがされる。更に後軸３を中軸４に対して押し込むと、後軸の段部３ｄが中軸の後端４ｃに当接すると共に中軸の突片４ａが後軸の縦溝３ａに係合し、且つ、後軸３の前端に設けた係合突起３ｈが中軸４内孔の段部４ｅに係合し、後軸３と中軸４は仮固定状態となる。後軸３の軸部３ｇは、弾性を有しているので縮径しながら後軸３の係合突起３ｈが中軸４の段部４ｅの位置で外側に開放され、段部４ｅに係合する。
【００１４】
次に、中駒６を仮固定状態となった中軸４に嵌挿するが、この時、中駒の胴部６ａの長手方向に形成した溝部６ｂに後軸３の軸部３ｇを案内・嵌挿させ、後軸３のスリット部３ｉに胴部６ａが嵌入する。ここで、仮固定状態である中軸４に対する中駒６の位置決めがなされる。更に中駒６を中軸４に対して押し込むと、中駒６の係合溝６ｃが中軸４の係合突起４ｆに係合し、中駒６と中軸４が固定される。尚、中軸４に対しての中駒６の押し込みは、先軸５の螺合によって行うことも可能である。
すなわち、後軸３の軸部３ｇに形成された係合突起３ｈが中軸の段部４ｅに弱い押し込み力で係合して後軸３と中軸４が仮固定され、中駒６の胴部６ａが後軸３のスリット部３ｉに嵌入することで軸部３ｇの縮径が防止されて、後軸３は中軸４に対して強固に固定されることとなる。
【００１５】
また、弾発部材１０は、中駒６によって前方の移動が阻止されると共に、筆記体１１を後方へ付勢する。最後に先軸５が中軸４に螺着等によって固定される。
この中駒６は、弾発部材１０の前端を係止させることにより筆記体１１を後方に付勢しており、従って中軸４に対する固定力は、基本的には弾発部材１０の附勢力に耐える力や、筆記体の交換時にノック部材９前端の接続部と筆記体１１後端の連結を外す力に耐える程度ですむ。
【００１６】
尚、後軸３のスリット部３ｉの前端近傍に弾発部材１０の前端を当接させる段部を形成し、上述したように突部４ｄと溝部３ｊの迎合を蟻溝などのように相互間が係合する形状になすと共に、軸部３ｇ前端の係合突起３ｈが弾性変形可能となるように構成すれば、中駒６を省略した構造で実使用に耐える後軸と中軸の固定が可能である。（図示せず）
【００１７】
（作用）
次に動作について説明する。
レバー７を水平となる側に引くと、鉤状となった係止部７ｂがノック部材９の係止段部９ｃから係合離脱した状態となり（図３参照）、選択したノック部材９の操作部９ａを前方に押圧すると、ノック部材９は縦溝３ａ及びスリット部３ｉに案内されながら、筆記体１１を伴い前進し、筆記体１１の先端が先軸５の先端より突出すると同時に、ノック部材９が後軸３の内側に押し込まれ、次いで、ノック部材９の後端係止部９ｂが、リブ３ｂの段部３ｃに係合し、筆記体１１の後退が阻止される。また、この状態から筆記体１１を収納する場合には、他のノック部材９を押圧することによって突出側のノック部材が後退し、代わりに前進してその筆記体が突出する。
【００１８】
筆記体１１が先軸５内に没入した状態でレバー７をクリップ３ｋ側に寄せると、鉤状となった係止部７ｂがノック部材９の係止段部９ｃに係合した状態となって、各ノック部材９は前方に押し下げることが不可となり、ノック操作がロック状態となる。（但し、厳密に言えば設計上のバラツキを考慮して、相互が係合する間には僅かな隙間があり、その間は可動する。）従って、携帯時などに不用意にノックされるのが防止できる。尚、筆記体１１の先端が先軸５の先端より突出した状態でレバー７をクリップ３ｋ側に寄せると、他の筆記体に接続したノック部材がロック状態となり、筆記時に突出した筆記先端部が不用意に先軸内に没入する不具合が防止できる。尚、そのことは突出した筆記体のノック部材を後退させる条件として他の筆記体のノック部材を前進させなければ突出した筆記体のノック部材の係止が解除できない構造にすることで容易に達成可能である。
【００１９】
（他の実施形態）
筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具は、上述した実施形態に限らず様々あり、本発明に提案されたロック装置は広く適用できるものである。
また、後軸の後端に突出した摘み部が長すぎると見栄えが悪い場合がある。そのときには極力小さく、そして短くすれば良い、また、凹部３ｆの開口部を塞いだ方が良い場合には、レバー７の後端に後軸３の後端面（実施例は曲面状）に沿った板状の摘み部を設けることも可能である。
また、レバー７が自由に回動しないようにレバー７と後軸３との間に適宜な摺動抵抗を有することや、回動範囲の両端で適宜係合するように設けられることが望ましいが、レバー７の係止部７ｂがノック部材９の係止段部９ｃに係合した際には、係止部７ｂと係止段部９ｃとの相互間に凹凸部で係合するようになすことも効果的である。
また上述した実施形態では、レバー７は前記後軸３の凹部３ｆに摘み部８が突出した状態に挿入され、軸支部７ａ（穴）を貫通して前記後軸のピン穴３ｅにピンが挿着されて構成されているが、レバーの軸支部にボス部を形成し、凹部内に受け部を形成して弾性変形を利用して係合するなど可能であり、以上に限定されないものである。
【図面の簡単な説明】
【００２０】
【図１】本発明の実施例である複式筆記具の全体を示す縦断面図で、ノック部材が作動しないようにロックされた状態を示している。
【図２】図１におけるロック装置部位を拡大して示した図である。
【図３】ロックを解除した状態を示した図である。
【図４】図１のＡ−Ａ断面図である。
【図５】図３のＣ−Ｃ断面図である。
【図６】図１のＢ−Ｂ断面図である。
【図７】後軸の縦半断面図である。
【図８】中軸の縦断面図である。
【図９】中軸に後軸を装着した状態を示す図である。
【図１０】中駒の正面図である。
【図１１】ノック部材の正面図である。
【図１２】ノック部材の側面図である。
【図１３】レバーに摘み部を取付けた状態の正面図である。
【図１４】レバーに摘み部を取付けた状態の側面図である。
【図１５】先軸の縦断面図である。
【符号の説明】
【００２１】
１      軸本体
２      前軸
３      後軸
３ａ    縦溝
３ｂ    リブ
３ｃ    段部
３ｄ    段部
３ｅ    ピン穴
３ｆ    凹部
３ｇ    軸部
３ｈ    係合突起
３ｉ    スリット部
３ｊ    溝部
３ｋ    クリップ
４      中軸
４ａ    突片
４ｂ    側面
４ｃ    後端
４ｄ    突部
４ｅ    段部
４ｆ    係合突起
５      先軸
６      中駒
６ａ    胴部
６ｂ    溝部
６ｃ    係合溝
７      レバー
７ａ    軸支部
７ｂ    係止部
８      摘み部
９      ノック部材
９ａ    操作部
９ｂ    後端係止部
９ｃ    係止段部
１０    弾発部材
１１    筆記体
【図１】
2005313337.tif 000003
【図２】
2005313337.tif 000004
【図３】
2005313337.tif 000005
【図４】
2005313337.tif 000006
【図５】
2005313337.tif 000007
【図６】
2005313337.tif 000008
【図７】
2005313337.tif 000009
【図８】
2005313337.tif 000010
【図９】
2005313337.tif 000011
【図１０】
2005313337.tif 000012
【図１１】
2005313337.tif 000013
【図１２】
2005313337.tif 000014
【図１３】
2005313337.tif 000015
【図１４】
2005313337.tif 000016
【図１５】
2005313337.tif 000017